(57)【要約】【課題】画像を形成する色の選択性及び再現性の向上を図ること。【解決手段】画像データに含まれる画素の色情報のうち色変換の対象となる変換色情報の指定を受け付ける変換色指定画面と色変換後の出力色情報の指定を受け付ける出力色指定画面とを表示するタッチパネルと、画像データの画素毎の色情報を算出し、当該画素の色情報が前記変換色情報に含まれる場合、当該画素の色情報を前記出力色情報に基づく色情報に色変換する画像処理部１００と、を備える画像処理装置。【選択図】図２
2009194690.tif 000002
【特許請求の範囲】
【請求項１】
画像データに含まれる画素の色情報のうち色変換の対象となる変換色情報を、色空間上の色範囲を指定することで受け付ける変換色指定部と、
色変換後の出力色情報の指定を受け付ける出力色指定部と、
前記画像データの画素毎の色情報を算出し、当該画素の色情報が前記変換色情報に含まれる場合、当該画素の色情報を前記出力色情報に基づく色情報に色変換する画像処理部と、
を備える画像処理装置。
【請求項２】
前記画像処理部は、
前記画素の色情報が前記変換色情報に含まれていない場合、当該画素の色情報を無彩色情報又は単色情報に色変換する、
請求項１に記載の画像処理装置。
【請求項３】
前記画像データを構成する複数の互いに異なる画像領域のうち、いずれかの画像領域の指定を受け付ける画像領域指定部と、
を備え、
前記画像処理部は、
前記画素毎に各画素が属する前記画像領域を判別し、
前記色情報が前記変換色情報に含まれ、且つ、前記画像判別手段により判別された前記画像領域が前記画像領域指定手段により指定された画像領域に含まれる画素の色情報を、前記出力色情報に基づく色情報に色変換する、
請求項１又は２に記載の画像処理装置。
【請求項４】
前記画像処理部は、
前記画像判別手段により判別された前記画像領域が前記画像領域指定手段により指定された画像領域に含まれる画素でない画素の色情報を、無彩色情報に色変換する、
請求項３に記載の画像処理装置。
【請求項５】
前記画像処理部は、
前記画素毎の色情報として、明度、色相、彩度を算出する算出部と、
前記画素毎に各画素が属する前記画像領域を判別する画像領域判別部と、
前記算出部により算出された各画素の色相及び彩度が前記変換色情報に含まれるか否かと、前記画像領域判別部により判別された各画素の前記画像領域が前記画像領域指定部により指定された画像領域に含まれるか否かと、を判別する比較部と、
前記比較部による判別結果に応じて前記画素毎の色情報を色変換する色変換部と、
を有する請求項３又は４に記載の画像処理装置。
【請求項６】
前記変換色情報は、色相及び彩度により定められた表色領域である、
請求項５に記載の画像処理装置。
【請求項７】
前記出力色情報は、色相及び彩度の値である、
請求項６に記載の画像処理装置。
【請求項８】
前記出力色情報は、前記変換色情報に定められた色相及び彩度の移動量である、
請求項６に記載の画像処理装置。
【請求項９】
前記変換色指定部は、
複数の前記変換色情報の指定を受け付ける、
請求項１から８のいずれか一項に記載の画像処理装置。
【請求項１０】
前記出力色指定部は、
前記変換色指定部により指定された各変換色情報に対応する出力色情報の指定を受け付ける、
請求項９に記載の画像処理装置。
【請求項１１】
画像データに含まれる画素の色情報のうち色変換の対象となる変換色情報を色空間上の色範囲が指定されることで受け付ける変換色指定工程と、
色変換後の出力色情報の指定を受け付ける出力色指定工程と、
前記画像データの画素毎の色情報を算出し、当該画素の色情報が前記変換色情報に含まれる場合、当該画素の色情報を前記出力色情報に基づく色情報に色変換する画像処理工程と、
を含む色変換方法。
【発明の詳細な説明】
【技術分野】
【０００１】
本発明は、画像処理装置及び色変換方法に関する。
【背景技術】
【０００２】
近年、予め設定された複数色により画像形成動作を行うフルカラーモードの機能を備えた複写機やプリンタ等の画像形成装置において、指定された色（例えば、赤色）と黒色により２色の画像形成を行う２色モードの機能を備えた画像形成装置がある。
【０００３】
２色モードを実現する技術としては、ユーザから黒以外に印刷する単数又は複数の色の指定を受け付ける指定色受付機能と、この指定色受付機能により受け付けた色については当該色で、他は黒色で印刷する選択カラーモード機能を備えたカラープリンタ用プリンタドライバが開示されている（特許文献１参照）。
【特許文献１】特開２００６−１９７９５号公報
【発明の開示】
【発明が解決しようとする課題】
【０００４】
しかしながら、従来の技術では、例えば、赤を指定した場合、赤色と黒色の２色の画像が形成されるが、赤っぽいオレンジ、赤紫、ピンク等の赤に近い色での画像を形成することはできない。また、複数色指定した場合、複数色が混合された画像が形成されるため、指定色毎に画像を形成することができない。そのため、指定色により画像の色が決定し、ユーザが所望する色に変更することができないという問題がある。
【０００５】
本発明の課題は、上記問題に鑑みて、画像を形成する色の選択性及び再現性の向上を図ることである。
【課題を解決するための手段】
【０００６】
請求項１に記載の発明は、画像データに含まれる画素の色情報のうち色変換の対象となる変換色情報を、色空間上の色範囲を指定することで受け付ける変換色指定部と、色変換後の出力色情報の指定を受け付ける出力色指定部と、前記画像データの画素毎の色情報を算出し、当該画素の色情報が前記変換色情報に含まれる場合、当該画素の色情報を前記出力色情報に基づく色情報に色変換する画像処理部と、を備える画像処理装置である。
【０００７】
請求項２に記載の発明は、請求項１に記載の画像処理装置において、前記画像処理部は、前記画素の色情報が前記変換色情報に含まれていない場合、当該画素の色情報を無彩色情報又は単色情報に色変換する。
【０００８】
請求項３に記載の発明は、請求項１又は２に記載の画像処理装置において、前記画像データを構成する複数の互いに異なる画像領域のうち、いずれかの画像領域の指定を受け付ける画像領域指定部と、を備え、前記画像処理部は、前記画素毎に各画素が属する前記画像領域を判別し、前記色情報が前記変換色情報に含まれ、且つ、前記画像判別手段により判別された前記画像領域が前記画像領域指定手段により指定された画像領域に含まれる画素の色情報を、前記出力色情報に基づく色情報に色変換する。
【０００９】
請求項４に記載の発明は、請求項３に記載の画像処理装置において、前記画像処理部は、前記画像判別手段により判別された前記画像領域が前記画像領域指定手段により指定された画像領域に含まれる画素でない画素の色情報を、無彩色情報に色変換する。
【００１０】
請求項５に記載の発明は、請求項３又は４に記載の画像処理装置において、前記画像処理部は、前記画素毎の色情報として、明度、色相、彩度を算出する算出部と、前記画素毎に各画素が属する前記画像領域を判別する画像領域判別部と、前記算出部により算出された各画素の色相及び彩度が前記変換色情報に含まれるか否かと、前記画像領域判別部により判別された各画素の前記画像領域が前記画像領域指定部により指定された画像領域に含まれるか否かと、を判別する比較部と、前記比較部による判別結果に応じて前記画素毎の色情報を色変換する色変換部と、を有する。
【００１１】
請求項６に記載の発明は、請求項５に記載の画像処理装置において、前記変換色情報は、色相及び彩度により定められた表色領域である。
【００１２】
請求項７に記載の発明は、請求項６に記載の画像処理装置において、前記出力色情報は、色相及び彩度の値である。
【００１３】
請求項８に記載の発明は、請求項６に記載の画像処理装置において、前記出力色情報は、前記変換色情報に定められた色相及び彩度の移動量である。
【００１４】
請求項９に記載の発明は、請求項１から８のいずれか一項に記載の画像処理装置において、前記変換色指定部は、複数の前記変換色情報の指定を受け付ける。
【００１５】
請求項１０に記載の発明は、請求項９に記載の画像処理装置において、前記出力色指定部は、前記変換色指定部により指定された各変換色情報に対応する出力色情報の指定を受け付ける。
【００１６】
請求項１１に記載の発明は、画像データに含まれる画素の色情報のうち色変換の対象となる変換色情報を色空間上の色範囲が指定されることで受け付ける変換色指定工程と、色変換後の出力色情報の指定を受け付ける出力色指定工程と、前記画像データの画素毎の色情報を算出し、当該画素の色情報が前記変換色情報に含まれる場合、当該画素の色情報を前記出力色情報に基づく色情報に色変換する画像処理工程と、を含む色変換方法である。
【発明の効果】
【００１７】
請求項１又は１１に記載の発明によれば、画像を構成する画素の色情報が指定された変換色情報に含まれる場合は、指定された出力色情報に基づく色情報に色変換することができ、画像を形成する色の選択性及び再現性の向上を図ることができる。
【００１８】
請求項２に記載の発明によれば、請求項１と同様の効果を得られるのは勿論のこと、指定された変換色情報に含まれない色情報を無彩色情報又は単色情報に色変換することができるため、変換色情報に含まれている色情報を他の色情報よりも強調して画像を形成することができると共に、カラートナー量の削減を図ることができる。
【００１９】
請求項３に記載の発明によれば、請求項１又は２と同様の効果を得られるのは勿論のこと、指定された画像領域内の画素の色情報のみを対象して、指定された変換色情報に含まれる色情報を指定された出力色情報に基づく色情報に色変換することができるそのため、指定された画像領域内の画素により形成される画像を指定された画像領域外の画素により形成される画像との差異を明確にすることができる。
【００２０】
請求項４に記載の発明によれば、請求項３と同様の効果を得られるのは勿論のこと、指定された画像領域外の画素の色情報を無彩色情報に色情報に色変換することができる。そのため、指定された画像領域内の画素により形成される画像を指定された画像領域外の画素により形成される画像よりも強調することができると共に、カラートナー量の削減を図ることができる。
【００２１】
請求項５に記載の発明によれば、請求項３又は４と同様の効果を得られる。
【００２２】
請求項６に記載の発明によれば、請求項５と同様の効果を得られるのは勿論のこと、色相及び彩度により定められた表色領域を変換色情報とすることができ、色変換される色情報の範囲の自由度を向上できる。
【００２３】
請求項７に記載の発明によれば、請求項６と同様の効果を得られるのは勿論のこと、色相及び彩度の値を出力色情報とすることができるため、画像を形成する色の選択性を向上できる。また、色相及び彩度により定められた表色領域を、出力色情報として定められた色相及び彩度の値に対応する色情報に色変換することができる。
【００２４】
請求項８に記載の発明によれば、請求項６と同様の効果を得られるのは勿論のこと、変換色情報として定められた色相及び彩度の移動量を出力色情報とすることができるため、画像を形成する色の再現性を向上できる。また、色相及び彩度により定められた表色領域を、出力色情報として定められた移動量だけ移動させた色情報に色変換することができる。
【００２５】
請求項９に記載の発明によれば、請求項１から8のいずれか一項と同様の効果を得られるのは勿論のこと、複数の変換色情報の指定を受け付けることができ、色変換対象となる色情報の選択性を向上できる。
【００２６】
請求項１０に記載の発明によれば、請求項９と同様の効果を得られるのは勿論のこと、各変換色情報に対応する出力色情報の指定を受け付けることができ、各変換色情報を指定された出力色情報にそれぞれ色変換することができるため、画像を形成する色の再現性の向上を図ることができる。
【発明を実施するための最良の形態】
【００２７】
以下、図を参照して本発明の実施の形態を詳細に説明する。
まず、構成を説明する。
図１に、画像形成装置１の機能的構成を示す。
画像形成装置１は、画像データに基づいて用紙上に画像を形成するものである。
【００２８】
図１に示すように、画像形成装置１は、本体部１０、画像読取部２０、操作部３０、タッチパネル４０、表示部５０、プリンタ部６０を備えて構成されている。また、本体部１０は、画像処理部１００、制御部２００、記憶部３００、画像制御部４００、画像メモリ５００等から構成されている。
【００２９】
画像読取部２０は、光源、ＣＣＤ（Charge Coupled Device）、Ａ／Ｄ変換器等を備えている。画像読取時には、光源から原稿へ照明操作した光の反射光を結像してＣＣＤにより光電変換することにより原稿画像を読み取り、画像信号（アナログ信号）を生成する。その後、画像信号をＡ／Ｄ変換器によりＲＧＢ表色系のデジタル画像データに変換し、本体部１０の画像処理部１００に出力する。ここで、画像は図形や写真等のイメージに限らず、文字や記号等のキャラクタイメージ等も含む。
【００３０】
操作部３０は、用紙上に画像形成の開始を指示するためのスタートキーや数字キー等の各種機能キーを備え、これら機能キーやタッチパネル４０が操作されると、対応する操作信号を本体制御部２００に出力する。
【００３１】
表示部５０は、タッチパネル４０と一体に形成されたＬＣＤ（Liquid Crystal Display）を備え、このＬＣＤ上に印刷操作するための各種操作画面を表示させる。
【００３２】
また、本実施の形態における表示部５０は、画像読取部２０により読み取られた画像データや画像メモリ５００から読み出された画像データに基づく画像を用紙上に画像形成する際、画像データを構成する画素の色情報のうち色変換の対象となる変換色情報を色空間上の色範囲を指定することで受け付ける変換色指定画面（例えば、図４、５参照）を表示し、タッチパネル４０により変換色情報の指定を受け付ける。即ち、表示部５０に表示される変換色指定画面とタッチパネル４０とが変換色指定部として機能する。
【００３３】
更に、表示部５０は、色変換後の出力色情報（用紙に画像形成される色）の指定を受け付ける出力色指定画面（例えば、図６〜１１参照）を表示し、タッチパネル４０により出力色情報の指定を受け付ける。即ち、表示部５０に表示される変換色指定画面とタッチパネル４０とが出力色指定部として機能する。
【００３４】
表示部５０は、画像データを構成する複数の互いに異なる画像領域のうち、いずれかの画像領域の指示を受け付ける画像領域指定画面（例えば、図１２参照）を表示し、タッチパネル４０により画像領域の指定を受け付ける。即ち、表示部５０に表示される画像領域指定画面とタッチパネル４０とが画像領域指定部として機能する。
【００３５】
プリンタ部６０は、本体部１０の画像処理部１００から入力される画像データに基づいて用紙上に画像形成処理を行い出力するものである。
プリンタ部６０は、例えば電子写真方式を採用する場合には、感光ドラムを有する露光部、トナーを付着させる現像部、トナーの定着処理を行う定着部等を備えて構成されている。画像形成時には露光部において画像データに基づく静電潜像を感光体ドラムに書き込み、現像部において当該感光ドラムにトナーを付着させトナー像を形成する。このトナー像は給紙トレイから搬送された用紙上に転写される。その後、当該用紙は定着部に搬送され、定着処理されて指定された排出先のトレイへ出力される。なお、画像形成方式は電子写真方式以外の方式であってもよい。
【００３６】
次に、本体部１０の各部について説明する。
本体部１０は、図１に示すように画像処理部１００、制御部２００、記憶部３００、画像制御部４００、画像メモリ５００等を備えて構成されている。
【００３７】
制御部２００は、ＣＰＵ（Central Processing Unit）、ＲＡＭ（Random Access Memory）等から構成され、記憶部３００に記憶されている各種制御プログラムに従って画像形成装置１の各部の動作を統括制御する。また、各種演算を行う。例えば、操作部３０から入力される操作信号に従って、コピー、プリンタ、スキャナのモードを切り替え、画像読取部２０による原稿の読み取り、画像メモリ５００への保存、プリンタ部６０への画像データの出力等の処理制御を行う。
【００３８】
また、制御部２００は、タッチパネル４０又は操作部３０の各種キーにより受け付けられた変換色情報、出力色情報、指定された画像領域（指定画像領域）の情報を画像処理部１００に出力する。
【００３９】
記憶部３００は、各種プログラムの他、プログラムの実行に必要なファイルやデータ等を記憶している。
【００４０】
画像制御部４００は、制御部２００の制御に従って画像メモリ５００に対する画像データの入出力を制御する。
【００４１】
画像メモリ５００は、ＤＲＡＭ（Dynamic Random Access Memory）、ハードディスク等から構成されており、圧縮メモリ領域、ページメモリ領域から構成されている。圧縮メモリ領域は画像処理部１００により処理された画像データを保存するための領域であり、ぺージメモリ領域は画像形成対象の画像データを画像形成前に一時的に格納するための領域である。
【００４２】
次に、画像処理部１００について説明する。
図２に、画像処理部１００の構成を示す。
図２に示すように、画像処理部１００は、算出部１１０、画像領域判別部１２０、比較部１３０、色変換部１４０等を備え、画像データの画素毎の色情報を算出し、また、画素毎に各画素が属する画像領域を判別し、色情報が変換色情報に含まれ、且つ、画像領域が指定画像領域に含まれる画素の色情報を出力色情報に基づく色情報に色変換し、一方、画像領域が指定画像領域に含まれる画素でない画素の色情報を無彩色情報に色変換する。
【００４３】
算出部１１０は、入力された画像データの画素毎の色情報として、明度（Ｌ）、色相（ｈ）、彩度（Ｃ）を算出し、比較部１３０に出力する。
【００４４】
画像領域判別部１２０は、入力された画像データの画素毎に各画素が属する画像領域を判別し、当該判別結果を比較部に出力する。本実施の形態における画像領域としては、写真領域、文字領域、網掛領域、黒く塗りつぶされたベタ領域とする。
【００４５】
比較部１３０は、変換色情報と指定画像領域の情報とが入力され、算出部１１０により算出された各画素の色相及び彩度が変換色情報に含まれるか否かと、画像領域判別部１２０により判別された各画素の画像領域が指定画像領域に含まれるか否かと、を判別し、各判別結果を色変換部に出力する。
【００４６】
色変換部１４０は、出力色情報が入力され、比較部１３０による各判別結果に応じて画素毎の色情報を色変換し、変換した画像データをプリンタ部６０又は画像メモリ５００に出力する。色変換部１４０は、具体的には、色情報が変換色情報に含まれ、且つ、画像領域が指定画像領域に含まれる画素の色情報を出力色情報に基づく色情報に色変換し、一方、色情報が変換色情報に含まれていない画素又は画像領域が指定画像領域に含まれる画素でない画素の色情報を無彩色情報に色変換する。
【００４７】
以上の構成より、本実施の形態における画像形成装置１において、タッチパネル４０、表示部５０、制御部２００、画像処理部１００により、画像処理装置が構成される。
【００４８】
次に、本実施の形態の動作を説明する。
図３に、本実施の形態における画像処理のフローチャートを示す。本処理は、タッチパネル４０、表示部５０、制御部２００、画像処理部１００とが協働して実行されるものである。
【００４９】
まず、制御部２００からの指示に従って表示部５０に変換色指定画面が表示され、変換色情報の指定が受け付けられる（ステップＳ１）。図４、図５に、変換色指定画面の例を示し、変換色情報の指定を説明する。
【００５０】
図４に示す変換色指定画面Ｇ１は、色相開始ボタンＢ１１ａ、色相終了ボタンＢ１１ｂ、彩度開始ボタンＢ１２ａ、彩度終了ボタンＢ１２ｂ、テンキーＢ１３、決定ボタンＢ１４、色相開始値表示ボックスＥ１１ａ、色相終了値表示ボックスＥ１１ｂ、彩度開始値表示ボックスＥ１２ａ、彩度終了値表示ボックスＥ１２ｂ等を備え、色相の領域と彩度の領域の指定を受け付け、色相領域及び彩度領域により定められた表色領域を変換色情報として受け付ける画面である。
【００５１】
色相開始ボタンＢ１１ａが押下されテンキーＢ１３により数値が選択されると、色相開始値表示ボックスＥ１１ａに色相領域の開始角度が表示される。色相終了ボタンＢ１１ｂが押下されテンキーＢ１３により数値が選択されると、色相終了値表示ボックスＥ１１ｂに色相領域の終了角度が表示される。
【００５２】
また、彩度開始ボタンＢ１２ａが押下されテンキーＢ１３により数値が選択されると、彩度開始値表示ボックスＥ１２ａに彩度領域の開始値が表示される。彩度終了ボタンＢ１２ｂが押下されテンキーＢ１３により数値が選択されると、彩度終了値表示ボックスＥ１２ｂに彩度領域の終了角度が表示される。
【００５３】
そして、決定ボタンＢ１４が押下されると、各ボックスに表示された値が確定される。即ち、色相開始値表示ボックスＥ１１ａに表示されている値から色相終了値表示ボックスＥ１１ｂに表示されている値までの範囲が色相領域として確定され、彩度開始値表示ボックスＥ１２ａに表示されている値から彩度終了値表示ボックスＥ１２ｂに表示されている値までの範囲が彩度領域として確定される。この確定された色相領域と彩度領域とを含む表色領域が変換色情報として指定されることとなる。
【００５４】
図５に示す変換色指定画面Ｇ２は、第１色相ボタンＢ２１ａ、第２色相ボタンＢ２１ｂ、第１彩度ボタンＢ２２ａ、第２彩度ボタンＢ２２ｂ、色ボタン群Ｂ２３、色相領域調整ボタンＢ２４ａ、彩度領域調整ボタンＢ２４ｂ等を備え、色と、当該色の色相領域及び彩度領域の指定を受け付け、指定された色の色相領域及び彩度領域により定められた表色領域を変換色情報として複数受け付ける画面である。
【００５５】
第１色相ボタンＢ２１ａが押下され、色ボタン群Ｂ２３が有する互いに色が異なる複数色の色ボタンのうちいずれか一つの色ボタンが押下され、色相領域調整ボタンＢ２４ａが０〜１０の範囲のいずれかの値に移動されると、押下された色ボタンが示す色の色相を中心として、色相領域調整ボタンＢ２４ａが示す値の範囲が第１の色相領域として設定される。
【００５６】
また、第１彩度ボタンＢ２２ａが押下され彩度領域調整ボタンＢ２４ｂが０〜１０の範囲のいずれかの値に移動されると、第１の色相領域が設定された際に押下された色ボタンが示す色の彩度を中心として、彩度領域調整ボタンＢ２４ｂが示す値の範囲が第１の彩度領域として設定される。そして、第１の色相領域と第１の彩度領域とを含む表色領域が第１の変換色情報として指定されることとなる。
【００５７】
第２色相ボタンＢ２１ｂが押下され、色ボタン群Ｂ２３が有する互いに色が異なる複数色の色ボタンのうちいずれか一つの色ボタンが押下され、色相領域調整ボタンＢ２４ａが０〜１０の範囲のいずれかの値に移動されると、押下された色ボタンが示す色の色相を中心として、色相領域調整ボタンＢ２４ａが示す値の範囲が第２の色相領域として設定される。
【００５８】
また、第２彩度ボタンＢ２２ｂが押下され彩度領域調整ボタンＢ２４ｂが０〜１０の範囲のいずれかの値に移動されると、第２の色相領域が設定された際に押下された色ボタンが示す色の彩度を中心として、彩度領域調整ボタンＢ２４ｂが示す値の範囲が第２の彩度領域として設定される。そして、第２の色相領域と第２の彩度領域とを含む表色領域が第２の変換色情報として指定されることとなる。
【００５９】
このように、図４又は図５に示すような変換色指定画面によって、色相及び彩度により定められた表色領域を変換色情報とすることができるため、色変換される色情報の範囲の自由度を向上でき、また、図５に示すような変換色指定画面によって、複数の変換色情報の指定を受け付けることができ、色変換対象となる色情報の選択性を更に向上できる。
【００６０】
ステップＳ１後、制御部２００からの指示に従って表示部５０に出力色指定画面が表示され、出力色情報の指定が受け付けられる（ステップＳ２）。図６〜８に、出力色情報として、色相及び彩度の値の指示を受け付ける出力色指定画面の例を示し、図９〜１１に、出力色情報として、変換色情報に定められた色相及び彩度の移動量の指示を受け付ける出力色指定画面の例を示し、出力色情報の指定を説明する。
【００６１】
図６に示す出力色指定画面Ｇ３は、色相ボタンＢ３１、彩度ボタンＢ３２、テンキーＢ３３、決定ボタンＢ３４、色相値表示ボックスＥ３１、彩度値表示ボックスＥ３２等を備え、色相と彩度の値の指定を受け付け、受け付けられた色相及び彩度の値を出力色情報として受け付ける画面である。
【００６２】
色相ボタンＢ３１が押下されテンキーＢ３３により数値が選択されると、色相値表示ボックスＥ３１に色相角度が表示される。また、彩度ボタンＢ３２が押下されテンキーＢ３３により数値が選択されると、彩度値表示ボックスＥ３２に彩度の値が表示される。そして、決定ボタンＢ３４が押下されると、各ボックスに表示された値が確定される。即ち、色相値表示ボックスＥ３１に表示されている色相角度と、彩度値表示ボックスＥ３２に表示されている彩度とが出力色情報として指定されることとなる。
【００６３】
図７に示す出力色指定画面Ｇ４は、予め設定された互いに異なる複数色の色ボタンを有する色ボタン群Ｂ４１を備え、色ボタン群Ｂ４１のいずれか一つの色ボタンが押下されると、当該色ボタンに対応する色相及び彩度を出力色情報として受け付ける画面である。
【００６４】
図８に示す出力色指定画面Ｇ５は、色相調整ボタンＢ５１と、変換色情報の彩度領域の中心値を示す彩度中心値表示ボックスＥ５１とを備え、色相調整ボタンＢ５１により変換色指定画面において指定された変換色情報の色相の移動量（移動角度）の指示を受け付けると、受け付けられた移動量だけ移動した変換色情報の色相領域と、彩度中心値表示ボックスＥ５１に表示された彩度と、が出力色情報として指定されることとなる。
【００６５】
図６〜８に示すような出力色指定画面よって、色相及び彩度の値を出力色情報とすることができる。
【００６６】
図９に示す出力色指定画面Ｇ６は、色相ボタンＢ６１、彩度ボタンＢ６２、テンキーＢ６３、決定ボタンＢ６４、色相移動量表示ボックスＥ６１、彩度移動量表示ボックスＥ６２等を備え、変換色情報として指定された色相と彩度の移動量を出力色情報として受け付ける画面である。
【００６７】
色相ボタンＢ６１が押下されテンキーＢ６３により数値が選択されると、色相移動量表示ボックスＥ６１に変換色情報の色相領域の移動量（移動角度）が表示される。また、彩度ボタンＢ６２が押下されテンキーＢ６３により数値が選択されると、彩度移動量表示ボックスＥ６２に変換色情報の彩度領域の移動量が表示される。そして、決定ボタンＢ６４が押下されると、各ボックスに表示された移動量が確定される。即ち、色相移動量表示ボックスＥ６１に表示されている色相角度の移動量と、彩度移動量表示ボックスＥ６２に表示されている彩度の移動量とが出力色情報として指定されることとなる。
【００６８】
図１０に示す出力色指定画面Ｇ７は、色相調整ボタンＢ７１、彩度調整ボタンＢ７２等を備え、予め設定された範囲（例えば、色相の場合は０〜３６０°、彩度の場合は０〜１００）において移動量の指定を受け付け、変換色情報として指定された色相及び彩度の移動量を出力色情報として受け付ける画面である。
【００６９】
図１１に示す出力色指定画面Ｇ８は、第１色相ボタンＢ８１ａ、第２色相ボタンＢ８１ｂ、第１彩度ボタンＢ８２ａ、第２彩度ボタンＢ８２ｂ、テンキーＢ８３、決定ボタンＢ８４、第１色相移動量表示ボックスＥ８１ａ、第２色相移動量表示ボックスＥ８１ｂ、第１彩度移動量表示ボックスＥ８２ａ、第２彩度移動量表示ボックスＥ８２ｂ等を備え、第１の色相と第１の彩度の移動量の指定、第２の色相と第２の彩度の移動量の指定、をそれぞれ受け付け、第１の色相及び第１の彩度の移動量を第１の変換色情報に対する第１の出力色情報として受け付け、第２の色相及び第２の彩度の移動量を第２の変換色情報に対する第２の出力色情報として受け付ける画面であり、図９に示す出力色指定画面Ｇ６を複数の出力色情報を受け付け可能とした画面である。また、図１１に示す出力色指定画面Ｇ８は、図５に示す変換色指定画面Ｇ２により指定された各変換色情報に対応する出力色情報を受け付け可能とした画面でもある。
【００７０】
図９〜１１に示すような出力色指定画面よって、変換色情報として定められた色相及び彩度の移動量を出力色情報とすることができる。特に、図１１に示すような出力色指定画面によって、各変換色情報に対応する出力色情報の指定を受け付けることができる。
【００７１】
ステップＳ２後、制御部２００からの指示に従って表示部５０に画像領域指定画面が表示され、指定画像領域の指定が受け付けられる（ステップＳ３）。図１２に、画像領域指定画面の例を示す。
【００７２】
図１２に示すように、画像領域指定画面Ｇ９は、文字領域ボタンＢ９１、写真領域ボタンＢ９２、網掛領域ボタンＢ９３、ベタ領域ボタンＢ９４等を備え、画像データを構成し得る複数の互いに異なる画像領域のうち出力色情報に応じた色に色変換する画像領域の指示を受け付ける。
【００７３】
例えば、文字領域ボタンＢ９１が押下された場合には、文字領域が指定画像領域として受け付けられ、写真領域ボタンＢ９２が押下された場合には、写真領域が指定画像領域として受け付けられ、網掛領域ボタンＢ９３が押下された場合には、網掛領域が指定画像領域として受け付けられ、ベタ領域ボタンＢ９４が押下された場合には、黒く塗りつぶされたベタ領域が指定画像領域として受け付けられることとなる。
【００７４】
ステップＳ３後、画像読取部２０又は画像メモリ５００から画像データが画像処理部１００に入力され（ステップＳ４）、算出部１１０により画像データの各画素の色情報（明度、彩度、色相）が算出される（ステップＳ５）と共に、画像領域判別部１２０により画像データの各画素が属する画像領域が判別される（ステップＳ６）。
【００７５】
そして、比較部１３０において、画素毎に、各画素の色情報（色相及び彩度）は、変換色情報に含まれるか否かが判別される（ステップＳ７）。そして、変換色情報に算出された色情報が含まれると判別された画素は（ステップＳ７；Ｙｅｓ）、画像領域判別部１２０により判別された画像領域は、指定画像領域内であるか否かが判別される（ステップＳ８）。
【００７６】
変換色情報に算出された色情報が含まれない画素（ステップＳ７；Ｎｏ）、又は、画像領域判別部１２０により判別された画像領域が指定画像領域内でない画素（ステップＳ８；Ｎｏ）は、比較部１３０において、色変換部１４０において色情報が無彩色に変換され（ステップＳ９）、本処理が終了され、プリンタ部６０又は画像メモリ５００に出力される。
【００７７】
画像領域判別部１２０により判別された画像領域が指定画像領域内である画素（ステップＳ８；Ｙｅｓ）は、色変換部１４０において色情報が出力色情報に応じて色変換され（ステップＳ１０）、本処理が終了され、プリンタ部６０又は画像メモリ５００に出力される。
【００７８】
図１３に、出力色情報として色相及び彩度の値の指示が受け付けられた場合の色変換処理を説明するＬＣｈ表色系の色度図を示し、図１４に、出力色情報として変換色情報に定められた色相及び彩度の移動量の指示が受け付けられた場合の色変換処理を説明するＬＣｈ表色系の色度図を示す。
【００７９】
図１３に示す図は、変換色情報として、色相角度ｈ１〜色相角度ｈ２の範囲の色相領域と、彩度Ｃ１〜彩度Ｃ２の範囲の彩度領域とからなる領域（変換色領域Ｅ１）が指定され、また、出力色情報として、色相角度ｈ３、彩度Ｃ３により示される出力色Ｃ１が指定されているものとする。
【００８０】
例えば、指定画像領域内である画素であって変換色領域Ｅ１内の画素Ａ１は、ステップＳ１０における色変換処理によって出力色Ｂ１に変換される。
一方、変換色領域Ｅ１外の画素Ａ２や変換色領域Ｅ１内であっても指定画像領域外である画素Ａ３は、ステップＳ９における色変換処理によって無彩色、即ち、彩度が０に変換されることとなる。
【００８１】
図１４に示す図は、変換色情報は図１３と同様に指定されており、出力色情報として、色相の移動量ｈＤと彩度の移動量ＣＤだけ変換色領域Ｅ１が移動した表色領域（出力色領域Ｅ２）が指定されているものとする。
【００８２】
例えば、指定画像領域内である画素であって変換色領域Ｅ１内の画素Ａ４は、ステップＳ１０における色変換処理によって色相角度がｈＤ移動し彩度がＣＤ移動した出力色Ｂ４に変換される。
一方、変換色領域Ｅ１外の画素Ａ５や変換色領域Ｅ１内であっても指定画像領域外である画素Ａ６は、ステップＳ９における色変換処理によって無彩色、即ち、彩度が０に変換されることとなる。
【００８３】
なお、本実施の形態において無彩色に変換された画素を、単色（シアン（Ｃ）、マゼンダ（Ｍ））化してもよい。例えば、プリンタ部６０において用紙上に画像形成を行う際に無彩色に変換された画素をＣＭＹＫ変換する場合、当該画素のＫデータをＣ＝１００％及びＭ＝Ｙ＝Ｋ＝０％、又は、Ｍ＝１００％及びＣ＝Ｙ＝Ｋ＝０％と設定し、画像形成の回路上において、ＫデータをＣ色を形成する回路又はＭ色を形成する回路に入力することにより、実現することができる。
【００８４】
以上のように本実施の形態によれば、画像を構成する画素の色情報が指定された変換色情報に含まれる場合は、指定された出力色情報に基づく色情報に色変換することができ、画像を形成する色の選択性及び再現性の向上を図ることができる。
【００８５】
特に、指定された変換色情報に含まれない色情報を無彩色情報に色変換することができるため、変換色情報に含まれている色情報を他の色情報よりも強調して画像を形成することができると共に、カラートナー量の削減を図ることができる。
【００８６】
更に、指定された画像領域内の画素の色情報のみを対象して、指定された変換色情報に含まれる色情報を指定された出力色情報に基づく色情報に色変換することができ、また、指定された画像領域外の画素の色情報を無彩色情報に色情報に色変換することができる。
【００８７】
例えば、写真領域とテキスト領域とからなる画像データにおいて、テキスト領域内の画素の色情報のみを対象として、指定された変換色情報に含まれる色情報を指定された出力色情報に基づく色情報に色変換することができる。そのため、指定された画像領域内の画素により形成される画像を指定された画像領域外の画素により形成される画像との差異を明確にすることができ、また、指定された画像領域内の画素により形成される画像を指定された画像領域外の画素により形成される画像よりも強調することができると共にカラートナー量の削減を図ることができる。
【００８８】
また、変換色情報として色相及び彩度により定められた表色領域を、出力色情報として定められた色相及び彩度の値に対応する色情報に色変換したり、出力色情報として定められた移動量だけ移動させた色情報に色変換したりすることができるため、画像を形成する色の選択性や再現性を向上できる。
【００８９】
また、本発明は、上記実施の形態の内容に限定されるものではなく、本発明の主旨を逸脱しない範囲で適宜変更可能である。
【図面の簡単な説明】
【００９０】
【図１】画像形成装置の機能的構成を示す図である。
【図２】画像処理部の構成を示す図である。
【図３】画像処理のフローチャートである。
【図４】変換色指定画面の例を示す図である。
【図５】変換色指定画面の例を示す図である。
【図６】出力色指定画面の例を示す図である。
【図７】出力色指定画面の例を示す図である。
【図８】出力色指定画面の例を示す図である。
【図９】出力色指定画面の例を示す図である。
【図１０】出力色指定画面の例を示す図である。
【図１１】出力色指定画面の例を示す図である。
【図１２】画像領域指定画面の例を示す図である。
【図１３】出力色情報として色相及び彩度の値の指示が受け付けられた場合の色変換処理を説明するＬＣｈ表色系の色度図である。
【図１４】出力色情報として変換色情報に定められた色相及び彩度の移動量の指示が受け付けられた場合の色変換処理を説明するＬＣｈ表色系の色度図である。
【符号の説明】
【００９１】
１  画像形成装置
１０  本体部
２０  画像読取部
３０  操作部
４０  タッチパネル
５０  表示部
６０  プリンタ部
１００  画像処理部
１１０  算出部
１２０  画像領域判別部
１３０  比較部
１４０  色変換部
２００  制御部
３００  記憶部
４００  画像制御部
５００  画像メモリ
Ｂ１１ａ  色相開始ボタン
Ｂ１１ｂ  色相終了ボタン
Ｂ１２ａ  彩度開始ボタン
Ｂ１２ｂ  彩度終了ボタン
Ｂ１３  テンキー
Ｂ１４  決定ボタン
Ｂ２１ａ  第１色相ボタン
Ｂ２１ｂ  第２色相ボタン
Ｂ２２ａ  第１彩度ボタン
Ｂ２２ｂ  第２彩度ボタン
Ｂ２３  色ボタン群
Ｂ２４ａ  色相領域調整ボタン
Ｂ２４ｂ  彩度領域調整ボタン
Ｂ３１  色相ボタン
Ｂ３２  彩度ボタン
Ｂ３３  テンキー
Ｂ３４  決定ボタン
Ｂ４１  色ボタン群
Ｂ５１  色相調整ボタン
Ｂ６１  色相ボタン
Ｂ６２  彩度ボタン
Ｂ６３  テンキー
Ｂ６４  決定ボタン
Ｂ７１  色相調整ボタン
Ｂ７２  彩度調整ボタン
Ｂ８１ａ  第１色相ボタン
Ｂ８１ｂ  第２色相ボタン
Ｂ８２ａ  第１彩度ボタン
Ｂ８２ｂ  第２彩度ボタン
Ｂ８３  テンキー
Ｂ８４  決定ボタン
Ｂ９１  文字領域ボタン
Ｂ９２  写真領域ボタン
Ｂ９３  網掛領域ボタン
Ｂ９４  ベタ領域ボタン
Ｅ１１ａ  色相開始値表示ボックス
Ｅ１１ｂ  色相終了値表示ボックス
Ｅ１２ａ  彩度開始値表示ボックス
Ｅ１２ｂ  彩度終了値表示ボックス
Ｅ３１  色相値表示ボックス
Ｅ３２  彩度値表示ボックス
Ｅ５１  彩度中心値表示ボックス
Ｅ６１  色相移動量表示ボックス
Ｅ６２  彩度移動量表示ボックス
Ｅ８１ａ  第１色相移動量表示ボックス
Ｅ８１ｂ  第２色相移動量表示ボックス
Ｅ８２ａ  第１彩度移動量表示ボックス
Ｅ８２ｂ  第２彩度移動量表示ボックス
Ｇ１、Ｇ２  変換色指定画面
Ｇ３、Ｇ４、Ｇ５、Ｇ６、Ｇ７、Ｇ８  出力色指定画面
Ｇ９  画像領域指定画面
【図１】
2009194690.tif 000003
【図２】
2009194690.tif 000004
【図３】
2009194690.tif 000005
【図４】
2009194690.tif 000006
【図５】
2009194690.tif 000007
【図６】
2009194690.tif 000008
【図７】
2009194690.tif 000009
【図８】
2009194690.tif 000010
【図９】
2009194690.tif 000011
【図１０】
2009194690.tif 000012
【図１１】
2009194690.tif 000013
【図１２】
2009194690.tif 000014
【図１３】
2009194690.tif 000015
【図１４】
2009194690.tif 000016